(57)【要約】【課題】キャタピラ型の外装材において、湾曲部が斜め配置される場合に捩れが発生しないようにする。【解決手段】展開形状で帯状の平板に長さ方向に延在する４本の折曲ラインＡ〜Ｄを幅方向の中間部に間隔をあけて備えると共に、前記長さ方向に一定間隔をあけて前記４本の折曲ラインＡ〜Ｄを結ぶスリットを備え、前記スリットは幅方向一端の前記折曲ラインＡと隣接する中間の前記折曲ラインＢの間および他端の前記折曲ラインＤと隣接する中間の前記折曲ラインＣの間は該折曲ラインと直交方向の直交スリットとし、中間の折曲ラインＢとＣの間は傾斜させて傾斜スリットとしている。【選択図】図１
2016077059.tif 000002
【特許請求の範囲】
【請求項１】
ワイヤハーネスに外装するキャタピラ型の外装材であって、
展開形状で帯状の平板に長さ方向に延在する４本の折曲ラインＡ〜Ｄを幅方向の中間部に間隔をあけて備えると共に、前記長さ方向に一定間隔をあけて前記４本の折曲ラインＡ〜Ｄを結ぶスリットを備え、
前記スリットは幅方向一端の前記折曲ラインＡと隣接する中間の前記折曲ラインＢの間および他端の前記折曲ラインＤと隣接する中間の前記折曲ラインＣの間は該折曲ラインと直交方向の直交スリットとし、中間の折曲ラインＢとＣの間は傾斜させて傾斜スリットとし、
かつ、前記折曲ラインＡ、Ｄより外側の両側に互いに係止する係止突起と係止穴を設け、前記折曲ラインＡ〜Ｄを折り曲げると共に前記係止突起を係止穴に係止して４角筒とし、該四角筒の前記折曲ラインで囲まれた３辺が前記スリットで分離されて屈曲自在に連結される構成としているワイヤハーネス用の外装材。
【請求項２】
前記傾斜スリットの傾斜角度は、３０〜６０度、あるいは傾斜配置される傾斜角度と同様な角度としている請求項１に記載のワイヤハーネス用の外装材。
【請求項３】
外装する前記ワイヤハーネスは長さ方向の一端が移動材に固定されると共に、中間領域でＵ字状に湾曲されて、他端が固定材に固定され、
前記中間領域の湾曲部が上下斜方向に傾斜されて配索され、該傾斜角度に前記傾斜スリットの傾斜角度を対応させ、該傾斜スリットを前記固定材と平行な水平方向となる設定としている請求項１または請求項２に記載のワイヤハーネス用の外装材。
【請求項４】
請求項１乃至請求項３のいずれか１項に記載の外装材で、自動車に搭載するスライドシートとフロアとの間に配索するスライドシート用のワイヤハーネスが外装され、
前記外装材で外装したワイヤハーネスがスライドシートの下面と車室床面材下方のフロアパネルとの間に横向きＵ字状に配索され、該外装材の長さ方向の両端が固定されるシート側固定点とフロア側固定点が同一垂直断面に位置せず、前記外装材の後端側の上下方向の湾曲部が傾斜して配置され、前記フロア側固定点となる水平面に対する前記湾曲部の傾斜角度と前記外装材の傾斜スリットの傾斜角度とを対応させ、該傾斜スリットを水平配置していることを特徴とするワイヤハーネスの配索構造。
【発明の詳細な説明】
【技術分野】
【０００１】
本発明はワイヤハーネス用の外装材およびワイヤハーネスの配索構造に関し、特に、屈曲方向が一方向に規制されるキャタピラ型の外装材を改良するものである。
【背景技術】
【０００２】
従来、自動車等の車両に配索するワイヤハーネスの電線群は、コルゲートチューブ、プロテクタ等の外装材で外装され、あるいは粘着テープが巻き付けられて集束保護されている。ワイヤハーネスがスライドシート、スライドドア等に接続され、シートやドアの移動に応じてワイヤハーネスも移動する場合、該ワイヤハーネスの全長を屈曲および伸縮が可能なコルゲートチューブで外装している場合が多い。前記コルゲートチューブを外装材として用いると、コルゲートチューブは全周のいずれの方向にも屈曲できるため、屈曲方向の規制ができず、周辺機器と接触する恐れがある。さらに、断面四角形状の配索スペースに丸型のコルゲートチューブで外装したワイヤハーネスを通すと、配索スペースに挿通できるワイヤハーネスの電線本数が減少し、配索スペースを有効利用できない問題がある。
【０００３】
前記問題に対して、本出願人は特開２０１３−４９４０２号公報で図５（Ａ）（Ｂ）（Ｃ）に示すスライドシート１５０に接続するワイヤハーネス２００の外装材として、組立式四角筒状のキャタピラ型の外装材１００を提供している。該キャタピラ型の外装材１００は図５（Ｂ）に示すように、樹脂製の帯状の平板１０１に長さ方向Ｘに延在する４本の折曲ラインＡ〜Ｄを幅方向Ｙの中間部に間隔をあけて設け、かつ、幅方向の両側縁の一方側に係止突片１０２を設けると共に他方側に係止穴１０３を設け、折曲ラインＡ〜Ｄに沿って折り曲げて四角筒形状とすると共に係止穴１０３に係止突片１０２を挿入係止して四角筒に保持している。さらに、折曲ラインＡ〜Ｄを結ぶ幅方向に切込ラインＫからなるスリットを長さ方向に間隔をあけて折曲ラインＡ〜Ｄと直交させて設け、四角筒の３辺１１１、１１２、１１３を分離させている。
【０００４】
前記のように組み立てた外装材１００は、前記分離された中央の辺１１２と対向する切込ラインＫが無い辺１１４は伸びることができない。よって、図５（Ｃ）に示すように、ワイヤハーネス２００に外装した外装材１００は、辺１１２が外周側となって実線矢印で示すＣ１の方向にのみ屈曲でき、辺１１２が内周側となる点線矢印で示す他方向きＣ２の方向に屈曲できない。このように、外装材１００は一方向にのみ屈曲できるため、屈曲方向を規制して周辺機器との接触を防止する必要があるワイヤハーネスの外装材として好適に用いられる。かつ、構成が非常に簡単であるため安価に製造できる利点もある。  
【先行技術文献】
【特許文献】
【０００５】
【特許文献１】特開２０１３−４９４０２号公報
【発明の概要】
【発明が解決しようとする課題】
【０００６】
前記特許文献１のキャタピラ型の外装材１００は、図６（Ａ）に示すように、スライドシート１５０に接続するスライドシート用のワイヤハーネス２００の外装材として好適に用いることができる。その際、ワイヤハーネス２００の上方の一端をスライドシート１５０の下面に固定し、下方の他端をフロアパネル１６０側に固定して横向きＵ字状に配索し、後端側が上下方向の湾曲部Ｂとされる。
【０００７】
前記のように配索したワイヤハーネスのスライドシート側の固定点Ｐ１とフロア側の固定点Ｐ２とが図６（Ｂ）に示すように、同一垂直断面に存在すると、後端の湾曲部Ｂでは外装材１００の長さ方向に一定間隔をあけて設けられている切込ラインＫは水平方向に真っすぐに延在する。該形態でワイヤハーネスが配索されると、スライドシート１５０の前後移動に応じて、外装材１００の後端の湾曲部Ｂの位置が前後方向に移動しながらスムーズに屈曲動作をさせることができる。
【０００８】
これに対して、図７（Ａ）に示すように、シート側の固定点Ｐ１と同一垂直断面のフロア側に干渉材１８０が位置すると、一点鎖線で示すように配置できず、シート側の固定点Ｐ１よりフロア側の固定点Ｐ２を左右幅方向で左側に移動させてオフセットする必要がある。その場合、固定点Ｐ１とＰ２が同一垂直断面に位置せず、後端の湾曲部Ｂは上下方向で傾斜することになる。このように、ワイヤハーネスおよびその外装材１００が斜め搭載されると、外装材１００の切込ラインＫは後端の上下方向の湾曲部Ｂで図７（Ａ）に示すように、水平方向ではなく傾斜方向となる。このように、外装材１００の湾曲部Ｂが傾斜して取り付けられると、スライドシートの前後移動時に後端の湾曲部Ｂで切込ラインＫにより、図７（Ｂ）に示すように、捩れが発生しやすくなる。その結果、外装材１００がワイヤハーネスの移動にスムーズに追従できなくなり、外装材１００が破損する恐れがある。
【０００９】
かつ、スライドシートとフロアとの間に外装材１００で外装したワイヤハーネスを配索する作業は、スライドシートを後方に倒して下面を露出させ、該スライドシートの下面の固定点Ｐ１にワイヤハーネスを固定すると共に、フロア側の固定点Ｐ２にワイヤハーネスを固定して組みつける作業となる。該組み付け作業時に、ワイヤハーネスおよび外装材１００が斜めであると、捩れが発生して外装材１００が破損する恐れがある。
このように、前記キャタピラ型の外装材１００は上下方向の湾曲部が斜めになると捩れが発生するため、該外装材１００で外装するワイヤハーネスの配索箇所が規制を受ける問題がある。
【００１０】
本発明は前記問題に鑑みてなされたものであり、キャタピラ型の外装材１００で外装したワイヤハーネスの両端固定点が同一垂直断面ではなく、オフセットとなった場合にも捩れが発生しないキャタピラ型の外装材および該外装材で外装したワイヤハーネスの配索構造を提供することを課題としている。
【課題を解決するための手段】
【００１１】
前記課題を解決するため、本発明は、ワイヤハーネスに外装するキャタピラ型の外装材であって、
展開形状で帯状の平板に長さ方向に延在する４本の折曲ラインＡ〜Ｄを幅方向の中間部に間隔をあけて備えると共に、前記長さ方向に一定間隔をあけて前記４本の折曲ラインＡ〜Ｄを結ぶスリットを備え、
前記スリットは幅方向一端の前記折曲ラインＡと隣接する中間の前記折曲ラインＢの間および他端の前記折曲ラインＤと隣接する中間の前記折曲ラインＣの間は該折曲ラインと直交方向の直交スリットとし、中間の折曲ラインＢとＣの間は傾斜させて傾斜スリットとし、
かつ、前記折曲ラインＡ、Ｄより外側の両側辺に互いに係止する係止突起と係止穴を設け、前記折曲ラインＡ〜Ｄを折り曲げると共に前記係止突起を係止穴に係止して４角筒とし、該四角筒の前記折曲ラインで囲まれた３辺が前記スリットで分離されて屈曲自在に連結される構成としているワイヤハーネス用の外装材を提供している。
【００１２】
前記のように、各スリットは、折曲ラインＡとＢ、ＣとＤを結ぶ部分が該折曲ラインと９０度をなす直交スリットとなると共に互いに長さ方向で位置ずれし、折曲ラインＢとＣを結ぶ部分が傾斜スリットとなる。
前記傾斜スリットの傾斜角度は、３０〜６０度、あるいは傾斜配置される傾斜角度と同様な角度とすることが好ましいが、限定されない。
【００１３】
具体的には、外装する前記ワイヤハーネスは長さ方向の一端がスライドシート等の移動材に固定されると共に、中間領域でＵ字状に湾曲されて、他端がフロア材等の固定材に固定され、
前記中間領域の湾曲部が上下斜方向に傾斜されて配索され、該湾曲部の傾斜角度に前記傾斜スリットの傾斜角度を対応させ、該傾斜スリットを前記固定材と平行な水平方向となる設定とすることが好ましい。
【００１４】
前記のように、本発明のキャタピラ型の外装材は、上下方向の湾曲部が傾斜配置されても、その傾斜角度に応じて前記傾斜スリットの傾斜角度を設定し、傾斜配置された状態で傾斜スリットが水平方向となるように設定しているため、 外装材の傾斜配置される湾曲部に捩れが発生するのを防止でき、外装材の適用範囲を広げることができる。
【００１５】
前記各傾斜スリットの中央部に円弧を入れ、該傾斜スリットにより分割される一方の分割片に円弧状凸部を設けると共に他方の分割片に円弧状凹部を設け、かつ、両側の直交スリットの先端に亀裂防止用の小円を設け、
さらに、前記一端側の折曲ラインＡの外側辺の外端に長さ方向に間隔をあけて前記係止突起を設ける一方、他端側の折曲ラインＤの外側辺に前記係止穴を設けることが好ましい。
【００１６】
また、前記長さ方向に一定間隔をあけて設ける前記スリットのうち、外装材の長さ方向の端部側では前記傾斜スリットの折曲ラインに対する傾斜角度を漸次増大し、長さ方向の先端では折曲ラインに対して直交させ、前記４本の折曲ラインＡ〜Ｄを直線で結ぶ直交スリットとすることが好ましい。
前記構成とすると、外装材の長さ方向の両端からワイヤハーネスを該外装材の軸線方向に引き出すことができる。
【００１７】
前記本発明の外装材は、樹脂成形品からなり、ワイヤハーネスの電線群を集束保護する必要がある領域に連続して外装できる長さを有するものとしている。ワイヤハーネスの電線群は、折曲ラインで折り曲げる前の平板の状態で、該平板の上面に載せ、その後、折り曲げて四角筒とし、前記係止突起を係止穴に挿入係止して組み立てる。あるいは、折曲ラインで折り曲げると共に、係止突起は係止穴に挿入係止せずに一辺を開いた状態で電線群を横入れし、その後、係止突起を係止穴に挿入係止して四角筒としてもよい。
かつ、四角筒に組み立てる外装材の長さ方向の両端で、引き出される電線群と外装材の外周面に粘着テープを巻き付け、電線群を外装材に固着することが好ましい。
【００１８】
前記本発明のワイヤハーネス用の外装材は、自動車に搭載するスライドシートとフロアとの間に配索するスライドシート用のワイヤハーネスの外装材として好適に用いられる。該スライドシート用のワイヤハーネスは、フロアハーネスの幹線から分岐する枝線からなる電線群、前記枝線にコネクタ接続する電線群、あるいは前記スライドシート内に配索するシートハーネスからフロア側へ延在させて前記フロアハーネスとコネクタ接続する電線群からなる。
【００１９】
具体的には、本発明は、自動車に搭載するスライドシートとフロアとの間に配索するスライドシート用のワイヤハーネスが前記外装材で外装され、該スライドシートの下面と車室床面材下方のフロアパネルとの間に横向きＵ字状に配索され、該外装材の長さ方向の両端が固定されるシート側固定点とフロア側固定点が同一垂直断面に位置せず、前記外装材の後端側の上下方向の湾曲部が傾斜して配置され、前記フロア側固定点となる水平面に対する前記湾曲部の傾斜角度と前記外装材の傾斜スリットの傾斜角度とを対応させ、該傾斜スリットを水平配置していることを特徴とするワイヤハーネスの配索構造を提供している。
【００２０】
前記のように、スライドシートの下面とフロアとの間にＵ字状に配索するスライドシート用のワイヤハーネスのシート側固定点に対してフロア側固定点を真下に位置できず、オフセット位置となり、ワイヤハーネスおよび外装材は傾斜して配置された場合、外装材に傾斜スリットを設け、該傾斜スリットをフロア側と平行な水平方向とすると、外装材に捩れが生じるのを防止できる。よって、外装材に破損を発生させずに、スライドシートの移動に前記キャタピラ型の外装材で外装したワイヤハーネスをスムーズに追従できる。かつ、本発明の安価なキャタピラ型の外装材の適用範囲を広げることができる。
【００２１】
なお、本発明の外装材で外装するワイヤハーネスは前記スライドシート用ワイヤハーネスに限定されず、ワイヤハーネスが湾曲して配索されると共に正逆回転あるいは往復移動され、かつ、前記湾曲する箇所が傾斜する場合に好適に用いられる。
【発明の効果】
【００２２】
本発明のワイヤハーネス用のキャタピラ型の外装材は、上下方向の湾曲部が傾斜配置されても、その傾斜角度に応じて前記傾斜スリットの傾斜角度を設定し、該傾斜スリットが水平方向となるようにしているため、外装材の傾斜配置される湾曲部に捩れが発生するのを防止でき、外装材の適用範囲を広げることができる。
【図面の簡単な説明】
【００２３】
【図１】本発明のワイヤハーネス用の外装材を示し、（Ａ）は展開図、（Ｂ）は（Ａ）の一部拡大図、（Ｃ）は組み立てた状態の斜視図である。
【図２】前記外装材でワイヤハーネスを外装した状態の斜視図である。
【図３】（Ａ）は前記外装材にワイヤハーネスの電線群を挿通してスライドシートに接続している状態の側面図、（Ｂ）は（Ａ）の右側面図、（Ｃ）は傾斜スリットの角度を説明するための図面である。
【図４】外装材の変形例を示し、（Ａ）は一部展開図、（Ｂ）は組立状態の斜視図である。
【図５】（Ａ）〜（Ｃ）は従来例を示す図面である。
【図６】（Ａ）（Ｂ）は前記従来例の外装材で外装したワイヤハーネスの配索例を示す図面である。
【図７】（Ａ）（Ｂ）は従来例の問題点を示す図面である。
【発明を実施するための形態】
【００２４】
以下、本発明のワイヤハーネス用の外装材の実施形態を図面を参照して説明する。
本発明の外装材は、図１に示すキャタピラ型の外装材１からなる。該外装材１は、樹脂製であり、図１（Ａ）（Ｂ）に示すように、展開形状で帯状の平板２０からなり、長さ方向Ｘに延在する４本の折曲ラインＡ〜Ｄを幅方向Ｙの中間部に間隔をあけて設けている。前記平板２０の厚さは薄く可撓性を有するものである。
【００２５】
前記折曲ラインＡ〜Ｄを９０度で折り曲げて、折曲ラインＡとＢに挟まれる辺２、折曲ラインＢとＣに挟まれる辺３、折曲ラインＣとＤに挟まれる辺４、折曲ラインＡと幅方向の一端縁に挟まる辺５、折曲ラインＤと幅方向の他端縁に挟まる辺６が形成されるようにしている。前記辺５の一端縁から長さ方向に間隔をあけて係止突起７を設け、前記辺６に前記係止突起７を挿入係止する係止穴８を長さ方向に間隔をあけて設けている。図１（Ｃ）に示すように、折曲ラインＡ〜Ｄを折り曲げて、辺５の係止突起７を辺６の係止穴８に挿入係止して辺５と６とからなる辺９を形成し、辺３と辺９が対向すると共に辺２と辺４が対向する四角筒状に組み立てられるようにしている。
【００２６】
前記帯状の平板２０には長さ方向Ｘに一定間隔をあけて前記４本の折曲ラインＡ〜Ｄを結ぶスリット１０を設けている。各スリット１０は幅が１ｍｍ以下であり、折曲ラインＡからＢの間の辺２に折曲ラインと直交する直交スリット１１を設け、折曲ラインＢからＣの間の辺３に傾斜スリット１２を設け、折曲ラインＣからＤの間の辺４に直交スリット１３を設け、これらスリットを連続させて１本のスリット１０としている。
【００２７】
前記のように、長さ方向Ｘに一定間隔をあけて幅方向Ｙのスリット１０を３つの辺２、３、４に連続して設けることにより、辺２、３、４からなるコ字状の分割ブロック１５をスリット１０を挟んで長さ方向に連続して設け、これら分割ブロック１５を残りの１つの可撓性を有する辺９で長さ方向に連続させている。該構成とすることで、四角筒状とした外装材１の分割ブロック１５は、可撓性を有する連続した辺９を内周側とし、辺３を外周側として屈曲できる構成としている。
【００２８】
前記スリット１０の直交スリット１１と１３は長さ方向で位置ずれさせて千鳥配置とし、その間の傾斜スリット１２の幅方向両端を直交スリット１１と１３に連続させている。
【００２９】
また、各スリット１０の傾斜スリット１２の中央部に半円弧１２ａを入れ、分割する一方の分割ブロック１５の辺３に円弧状凸部３ａを設けると共に他方の分割ブロック１５に円弧状凹部３ｂを設けている。かつ、両側の直交スリット１１、１３の先端に亀裂防止用の小円１１ａ、１３ａを設けている。
【００３０】
前記辺３の傾斜スリット１２の傾斜角度α１は、後述する図３（Ａ）に示すように、外装材１で外装するワイヤハーネス２００の両端が固定されて横向きＵ字状に配索され、その後端の湾曲部ＢＣが、同一垂直断面に配置されず、図３（Ｂ）に示すように左右幅方向に位置ずれして傾斜配置される場合、湾曲部ＢＣの傾斜角度α２と同様な角度としている。即ち、湾曲部ＢＣの傾斜角度α２と傾斜スリット１２の折曲ラインＢに対する傾斜角度α１を略同様な角度とに設定し、α１がα２±１０°の範囲としている。
【００３１】
前記外装材１に対してワイヤハーネス２００の電線群は図２に示すように挿通しているが、挿通作業は、外装材１を四角筒に組み立てる前に、図１に示す展開状態、または折曲ラインＢとＣを９０度折り曲げて、辺３を底面とした上面開口の凹形状にした状態で、ワイヤハーネス２００の電線群を辺３上にセットする。その後、折曲ラインＡ、Ｄも折り曲げて四角筒とすると共に、係止穴８に係止突起７を挿入係止して、キャタピラ型の外装材１でワイヤハーネス２００を外装する。該外装材１の長さ方向の両端で、外装材１から引き出されるワイヤハーネス２００の電線群の外周面と外装材１の外周面にかけて粘着テープを巻き付けて、外装材１にワイヤハーネス２００を固着している。
【００３２】
前記外装材１で外装したワイヤハーネス２００に対して、図２中で実線矢印Ｃ１の方向に屈曲する負荷がかかると、外周面となる辺３およびその両側の辺２と４はスリット１０により長さ方向で分割されて分割ブロック１５となり、内周面となる辺９が可撓性を有する連続辺であるため、実線矢印Ｃ１の方向への屈曲が可能となる。逆方向の点線矢印Ｃ２の連続した辺９が外周側となる屈曲は、辺９が伸縮できないことより該点線矢印Ｃ２の屈曲はできない。このように、キャタピラ型の外装材１で外装するワイヤハーネス２００は一方側には屈曲できるが、他方側には屈曲できず、屈曲方向を規制でき、周辺機器との干渉発生を防止できる。
【００３３】
図３（Ａ）〜（Ｃ）に示すように、自動車に搭載するスライドシート１５０に配索するワイヤハーネス２００に前記外装材１は外装される。
前記ワイヤハーネス２００はフロアハーネスの幹線から分岐するワイヤハーネスで、該ワイヤハーネス２００の先端をスライドシート１５０の下面に固定点Ｐ１で固定し、フロアカーペット積層材からなる車室床材１７０の下方で前後方向に直線状に配索した後に後端側で下向きに湾曲した後に前方へ直線状に配索し、言わば、横向きＵ形状に配索して、下側前端をフロアパネル１６０に固定点Ｐ２で固定している。
【００３４】
図３（Ｂ）に示すように、ワイヤハーネスの上側配索位置に対して同一垂直断面の真下の位置に干渉材が存在すると、一点鎖線で示すように後端の湾曲部ＢＣを垂直方向に配置すると干渉材と干渉する。よって、後端の湾曲部ＢＣは実線で示すように傾斜配置され、シート側の固定点Ｐ１に対してフロア側の固定点Ｐ２をオフセットする。
前記のように、傾斜した湾曲部ＢＣがフロアパネル１６０の水平部と成す角度α２に、外装材１の傾斜スリット１２の傾斜角度α１が略同等となるように設けている。よって、フロアパネル１６０の水平部に対して角度α２で傾斜した湾曲部ＢＣでは、傾斜角度α１とした傾斜スリット１２は図３（Ｃ）に示すように水平となる。
【００３５】
スライドシート１５０の前後移動に追従して、外装材１で外装したワイヤハーネス２００が移動する際、水平方向に前後移動する上下両側領域の間の後端の傾斜した湾曲部ＢＣが上向き或いは下向きに引っ張られる際に、傾斜スリット１２がフロアパネル１６０と平行な水平方向となるため、前記図７（Ｂ）に示す捩れを発生させることなく作動させることができる。
【００３６】
かつ、スライドシート１５０とフロアとの間に外装材１で外装したワイヤハーネス２００を配索する作業時にも、外装材１に捩れが発生するのを防止できる。即ち、スライドシート１５０を後方に倒して下面を露出させ、該スライドシート１５０の下面にワイヤハーネス２００の先端側を固定すると共に、ワイヤハーネス２００の他端側を、同一垂直断面ではなく、幅方向にオフセットしてワイヤハーネス２００および外装材１を傾斜して固定するが、そのさい、外装材１の傾斜角度と傾斜スリット１２の傾斜角度とが平行となるため、外装材１に捩れを発生させることなく配索作業を行うことができる。
【００３７】
図４（Ａ）（Ｂ）に外装材１の変形例を示す。
変形例の外装材１−２では、長さ方向Ｘに一定間隔をあけて設けるスリット１０のうち、外装材１の長さ方向の両端では傾斜スリット１２の折曲ラインＢに対する傾斜角度αを漸次増大している。傾斜スリット１２−２は角度α１ー２、傾斜スリット１２−１では角度α１−１とし、先端の傾斜スリット１２ー０では傾斜を無くして角度α１−０としている。即ち、α１＜α１ー２＜α１ー１＜α１ー０としている。即ち、両側の直交スリットに対する傾斜を減少している。
長さ方向先端のスリット１０は両側の直交スリット１１と１３を位置ずれさせず、傾斜スリット１２−０の両端を直交スリット１１と１３に連続させ、折曲ラインＡ〜Ｄと直交する直線としている。
なお、変形例では、傾斜スリット１２の中央に円弧部を設けていない。他の構成は前記実施形態の外装材と同一であるため説明を省略する。
【００３８】
前記のように、外装材１の長さ方向の両端で、スリット１０の傾斜スリットの折曲ラインに対する傾斜角度を次第に増加させることで、外装材１から引き出すワイヤハーネス２００を確実に外装材１の長さ方向と平行方向に引き出すことができる。
【００３９】
さらに、本発明の外装材１は前記スライドシートに配索するワイヤハーネスの外装材に限定されず、他の箇所に屈曲自在に配索されるワイヤハーネス、さらに、回転移動するワイヤハーネスの外装材としても好適に利用できる。
【符号の説明】
【００４０】
１  外装材
２〜６  辺
７  係止突起
８  係止穴
１０  スリット
１１、１３  直交スリット
１２  傾斜スリット
Ａ〜Ｄ  折曲ライン
１５０  スライドシート
１６０  フロアパネル
１７０  車室床材
２００  ワイヤハーネス
【図１】
2016077059.tif 000003
【図２】
2016077059.tif 000004
【図３】
2016077059.tif 000005
【図４】
2016077059.tif 000006
【図５】
2016077059.tif 000007
【図６】
2016077059.tif 000008
【図７】
2016077059.tif 000009